(57)【要約】      （修正有）【課題】仕切板を備えた包装箱で、２本の蛍光灯を安全・確実に把持し、蛍光灯の出し入れが容易な包装箱を提供する。【解決手段】同形の丸管２本の蛍光灯を仕切りで保持した包装箱１において、包装箱が一枚のシ−ト２からなり、シ−ト２は折目４，６，８，１０を介して上面部３・後蓋部５・下面部７・前蓋部９・差込片部１１を連接し、上面部３の左右には上糊代片部１３ａ，，ｂ・フラップ部１５ａ，ｂを、後蓋部５の左右には後糊代片部１７ａ，ｂを、下面部７の左右には側面部１９ａ，ｂを連接してなり、両上糊代片部１３ａ，ｂの前には折目２０ａ，ｂを介して折込片部２１ａ，ｂを、両フラップ部１５ａ，ｂの前には折目２２ａ，ｂを介して両衝立片部２３ａ，ｂを連接してなり、両フラップ部１５ａ，ｂを左右の仕切り２５ａ，ｂとして、上部の蛍光灯を把持するようにした丸管２本入り蛍光灯の仕切り包装箱１を構成する。【選択図】図１
0003127457.tif 000002
【実用新案登録請求の範囲】
【請求項１】
同形の丸管２本の蛍光灯を仕切りで保持した包装箱において、包装箱が一枚のシ−トからなり、該シ−トは折目を介して上面部・後蓋部・下面部・前蓋部・差込片部を連接し、上面部の左右には上糊代片部・フラップ部を、後蓋部の左右には後糊代片部を、下面部の左右には側面部を連接してなり、前記両上糊代片部の前には折目を介して折込片部を、前記両フラップ部の前には折目を介して両衝立片部を連接してなり、前記両フラップ部を左右の仕切りとして、上部の蛍光灯を把持するようにしたことを特徴とする丸管２本入り蛍光灯の仕切り包装箱。
【請求項２】
前記蓋部に、縦長窓を穿設し、上段蛍光灯と下段蛍光灯が透視できるようにした請求項１記載の丸管２本入り蛍光灯の仕切り包装箱。
【請求項３】
前記両フラップ部を、両側面部から垂設して仕切りとし、両衝立片部を前記両フラップ部から折り返し、上段蛍光灯と下段蛍光灯を把持するようにした請求項１または請求項２記載の丸管２本入り蛍光灯の仕切り包装箱。
【考案の詳細な説明】
【技術分野】
【０００１】
本考案は、同じ大きさの丸管蛍光灯２本入りの仕切りを設けて収納しうるようにした包装箱に関するものである。
【背景技術】
【０００２】
丸管蛍光灯は消費が多いため、個々の１本売りだけでなく、２本セットにした特売品の提供が市場から望まれている。そのため、２本セット品は、現在、それぞれに箱詰めされた２箱を、一纏に貼り合わせて２箱セット品として販売している。しかし、２箱セット品では包装箱代や貼り合わせの手間が重なって無駄な失費となっている。そのため２本入りの１個の包装箱の出現が望まれている。
【０００３】
従来、丸管蛍光灯を２本組にした仕切具は公知てある（例えば、特許文献１、特許文献２）。しかし、これ等の文献に記載されたものは、大形と小形の蛍光灯を組にして箱詰めするもので、同形の蛍光灯２本を組にしたものでなかった。また仕切板に関するものであり、外装の包装箱は更に必要となっていた。
【特許文献１】特開２００１−１２２３３５号公報
【特許文献２】特開２００１−２８７７３３号公報
【０００４】
蛍光灯を収納する包装箱においては、収納する蛍光灯を包装箱内でガタなく確実に固定把持すること、そして２本の蛍光灯の出し入れが容易であることが必要である。
【考案の開示】
【考案が解決しようとする課題】
【０００５】
上記の事情に鑑み、本考案は、仕切板を備えた包装箱で、同形の２本の蛍光灯を安全・確実に把持し、蛍光灯の出し入れが容易な包装箱の提供を課題とする。
【課題を解決するための手段】
【０００６】
本考案は、上記目的を達成するために、同形の丸管２本の蛍光灯を仕切りで保持した包装箱において、包装箱が一枚のシ−トからなり、該シ−トは折目を介して上面部・後蓋部・下面部・前蓋部・差込片部を連接し、上面部の左右には上糊代片部・フラップ部を、後蓋部の左右には後糊代片部を、下面部の左右には側面部を連接してなり、前記両上糊代片部の前には折目を介して折込片部を、前記両フラップ部の前には折目を介して両衝立片部を連接してなり、前記両フラップ部を左右の仕切りとして上部の蛍光灯を把持するようにした丸管２本入り蛍光灯の仕切り包装箱を構成するものである。
【考案の効果】
【０００７】
本考案の包装箱を使用すれば、外装の包装箱と中仕切りが１枚からなり、材料の使用量が節減でき、軽量でコスト安にすることができる。
【０００８】
本考案の包装箱は、衝立片部を傾斜して仕切りを持ち上げることにより、２本の蛍光灯を安定した状態で確実に保持し、不慮の事故で破損する恐れがない。
【０００９】
本考案の包装箱は、衝立片部をフラップ部の前より入り込ませているので、取り出した蛍光灯をもう一度入れる場合でも、衝立片部は飛び出すことなく、元通りにきちんと収納させることができる。
【００１０】
本考案の包装箱の蓋部に縦長窓を穿設しておけば、２本の蛍光灯を収納していることが一目で分かるようになる。
【考案を実施するための最良の形態】
【００１１】
以下、本考案の実施例を図面に基づいて詳しく説明する。図１は、本考案の包装箱の一実施例を示す展開図、図２は、本考案の包装箱に２本の蛍光灯を収納する状態を示す分解斜視図、図３は、２本の蛍光灯を収納した状態を示す本考案の包装箱の斜視図である。
【００１２】
本考案の包装箱１は、展開状態で図１に示すように、一枚のシ−ト２の１ピ−スからなっている。このシ−ト２は、上面部３では下方向に、折目４を介して後蓋部５を、また折目６を介して下面部７を、更に折目８を介して前蓋部９を、更にまた折目１０を介して差込片部１１を連接している。
【００１３】
一方、上面部３の左右には折目１２ａ，１２ｂを介して上糊代片部１３ａ，１３ｂを、また折目１４ａ，１４ｂを介してフラップ部１５ａ，１５ｂを連接している。さらに後蓋部５の左右には折目１６ａ，１６ｂを介して後糊代片部１７ａ，１７ｂを、また下面部７の左右には折目１８ａ，１８ｂを介して側面部１９ａ，１９ｂを連接している。そして先の両上糊代片部１３ａ，１３ｂの前には折目２０ａ，２０ｂを介して折込片部２１ａ，２１ｂを連接している。そしてまた両フラップ部１５ａ，１５ｂの前には折目２２ａ，２２ｂを介して両衝立片部２３ａ，２３ｂを連接している。なお蓋部９には、縦長窓２４を穿設している。
【００１４】
本考案の包装箱は、生産工場ですぐ蛍光灯を収納できるように、予め包装箱は組み立てられた状態で納入される。包装箱の組み立ては、折目４と６を内向きに折曲げ、折目１６ａと１６ｂと、折目１２ａと１２ｂ及び折目１４ａと１４ｂを内向きに直角に折曲げ、折目２２ａと２２ｂを外向きに折り畳む。そして折目１８ａと１８ｂを内向きに折曲げて、左右の側面部１９ａ，１９ｂを立ち上げる。
【００１５】
この状態で、後左糊代片部１７ａと、上左糊代片部１３ａを、左側面部１９ａの内側に貼着する。また、後右糊代片部１７ｂと、上右糊代片部１３ｂを、右側面部１９ｂの内側に貼着して、図２のように、包装箱１を組み立てる。このとき包装箱１は、左右のフラップ部１５ａ，１５ｂによって、仕切り２５ａ，２５ｂが設けられ、包装箱１内に上段２６と下段２７が構成される。
【００１６】
そこで蛍光灯の製造工場では、包装箱１内に上段２７に１本目の蛍光灯Ｌ1 を挿入し、下段２８に２本目の蛍光灯Ｌ2
を挿入する。このとき蛍光灯Ｌ1 は、左右のフラップ部１５ａ，１５ｂによる仕切り２５ａ，２５ｂで確実に把持される。また蛍光灯Ｌ2 は、傾斜して折り畳まれている左右の衝立片部２３ａ，２３ｂに抗して、押し込まれる。そのため蛍光灯Ｌ2
も、左右の衝立片部２３ａ，２３ｂによって確実に把持される。
【００１７】
２本の蛍光灯Ｌ1 ，Ｌ2 を包装箱内に収納すると、左右の折目２０ａ，２０ｂを内向きに折曲げて、左右の折込片部２１ａ，２１ｂで、蛍光灯Ｌ1
を押さえ、折目８と１０を内向きに折曲げて、図３に示すように、差込片部１１を上面部３内に挿入し、前蓋部１０を閉じて、包装箱１は収納を完了する。
【００１８】
図３のように２本の蛍光灯Ｌ1 ，Ｌ2 の収納された包装箱１は、縦長窓２４から、包装箱１内には、２本の蛍光灯が収納されていることが分かる。顧客が、包装箱１から、蛍光灯を取り出してみる場合もある。例えば、蛍光灯Ｌ2
を取り出してみて、元に戻す場合でも、左右の衝立片部２３ａ，２３ｂが、前蓋部９より引っ込んでいるため、きちんと元に収納することができる。また蛍光灯蛍光灯Ｌ2 だけになると、これも容易に取り出すことができる。
【図面の簡単な説明】
【００１９】
【図１】本考案の包装箱の一実施例を示す展開図である。
【図２】本考案の包装箱に２本の蛍光灯を収納する状態を示す分解斜視図である。
【図３】２本の蛍光灯を収納した状態を示す本考案の包装箱の斜視図である。
【符号の説明】
【００２０】
１                      包装箱
２                      シ−ト  
３                      上面部
４，６，８，１０        折目
１２ａ，ｂ，１４ａ，ｂ  折目
１６ａ，ｂ，１８ａ，ｂ  折目
２０ａ，ｂ，２２ａ，ｂ  折目
５                      後蓋部
７                      下面部
９                      前蓋部
１１                    差込片部
１３ａ，ｂ              上糊代片部
１５ａ，ｂ              左右フラップ部
１７ａ，ｂ              後糊代片部
１９ａ，ｂ              左右側面部
２１ａ，ｂ              折込片部
２３ａ，ｂ              左右衝立片部
２４                    縦長窓
２５ａ，ｂ              仕切り
２６                    上段
２７                    下段
Ｌ1，Ｌ2                 蛍光灯
【図１】
0003127457.tif 000003
【図２】
0003127457.tif 000004
【図３】
0003127457.tif 000005